(57)【要約】【課題】簡便なシステムでセキュリティーの高いロック管理システムを提供することを目的とする。【解決手段】ロック管理システム１０では、管理サーバ３００が予約管理情報に基づいて第１利用識別符号Ｐ１を生成し、前記端末識別符号に基づく通知手段により前記第１利用識別符号Ｐ１を前記端末２００に送信し、端末２００と管理対象装置１００とのコネクションが確立した後に、第１利用識別符号Ｐ１に基づく管理対象体２０を利用するための第２利用識別符号Ｐ２を管理対象装置１００に送信し、管理対象制御部１０２は、受信した第２利用識別符号Ｐ２と、管理対象記憶部１０８に記憶されている第１利用識別符号Ｐ１とを照合し、照合結果が一致の場合にロックの解錠の指示をする。【選択図】図１
2018116436.tif 000002
【特許請求の範囲】
【請求項１】
管理対象装置を有する管理対象体と、前記管理対象体の利用を管理するための管理サーバとを備え、前記管理対象体と前記管理サーバと端末とは相互に通信可能であるロック管理システムであって、
前記端末は、
前記管理サーバと無線通信する端末通信部と、
前記管理対象体とBluetooth（登録商標）通信を行う端末ＢＴ通信部と、
を有し、
前記管理サーバは、
前記管理対象装置、前記端末通信部と無線通信するサーバ通信部と、
前記端末を識別する端末識別符号と前記管理対象体の種類と前記管理対象体を利用するための予約時間と前記管理対象体を利用するための第１利用識別符号とを含む予約管理情報が記録される予約情報テーブルを有するデータベース部と、
を有し、
前記管理対象装置は、
前記管理サーバと無線通信する管理対象通信部と、
前記端末とBluetooth（登録商標）通信を行う管理対象ＢＴ通信部と、
前記端末に関する照合をする管理対象制御部と、
前記管理サーバから送信される前記予約管理情報が記憶される管理対象記憶部と、
を有し、
前記端末は、前記端末識別符号と前記管理対象体の種類と前記予約時間と前記管理対象体を利用するための第１利用識別符号とを前記管理サーバに送信し、
前記管理サーバは、
前記予約管理情報に基づいて前記第１利用識別符号を生成し、前記端末識別符号に基づく通知手段により前記第１利用識別符号を前記端末に送信し、
前記第１利用識別符号を前記管理対象装置に送信し、
前記端末は、Bluetooth（登録商標）通信における前記端末と前記管理対象装置とのコネクションが確立した後に、前記第１利用識別符号に基づく前記管理対象体を利用するための第２利用識別符号を前記管理対象装置に送信し、
前記管理対象制御部は、受信した前記第２利用識別符号と、前記管理対象記憶部に記憶されている前記第１利用識別符号とを照合し、照合結果が一致の場合にロックの解錠の指示をすることを特徴とするロック管理システム。
【請求項２】
請求項１記載のロック管理システムであって、
前記管理サーバが前記第１利用識別符号を前記端末に送信する前記通知手段が、ＳＭＳ（short message service）であることを特徴とするロック管理システム。
【請求項３】
請求項１又は２記載のロック管理システムであって、
前記管理対象制御部は、解錠の指示をした後に、前記管理対象記憶部に記憶されている前記第１利用識別符号を消去することを特徴とするロック管理システム。
【請求項４】
請求項１〜３のいずれか１項に記載のロック管理システムであって、
前記端末識別符号と前記管理対象体の種類と前記予約時間は、前記端末又は他の端末から登録されることを特徴とするロック管理システム。
【請求項５】
請求項１〜４のいずれか１項に記載のロック管理システムであって、
前記管理対象体が住宅である場合には、前記ロックは前記住宅のドアロックであり、
前記管理対象体が駐車場である場合には、前記ロックは前記駐車場のロック板であり、
前記管理対象体が車両である場合には、前記ロックは前記車両のドアロックであることを特徴とするロック管理システム。
【発明の詳細な説明】
【技術分野】
【０００１】
本発明は、管理対象装置を有する管理対象体と、前記管理対象体の利用を管理するための管理サーバとを備え、前記管理対象体と前記管理サーバと端末とは相互に通信可能であるロック管理システムに関する。
【背景技術】
【０００２】
集合住宅のドアの管理システムとして、集合住宅用ネットワークシステムが知られている（特許文献１）。
【０００３】
特許文献１の集合住宅用ネットワークシステムは、センターサーバー、住戸端末装置、来訪者が有する携帯端末装置、集合住宅の共用玄関に設けられるロビー端末及びオートロックドアとを備える。特許文献１では、センターサーバーから携帯電話に送信され、ロビー端末で入力され、センターサーバーに送信される識別情報と、センターサーバーで記憶されている識別情報とを照合し、一致した場合に、オートロックドアのロックが解錠される。
【先行技術文献】
【特許文献】
【０００４】
【特許文献１】特開２００９−３０３０７号公報
【発明の概要】
【発明が解決しようとする課題】
【０００５】
しかしながら、特許文献１に示された集合住宅用ネットワークシステムでは、携帯電話とロビー端末との通信が行えないために、来訪者が、直接ロビー端末に識別番号をしなければならない。また、オートロックドアのロック解錠のための識別番号の照合がセンターサーバーで行われており、システムとして煩雑である。さらに、集合住宅用ネットワークシステムでは、識別情報の管理を使用回数で行っており、セキュリティーの面で問題がある。
【０００６】
本発明は、上記の課題を考慮してなされたものであって、簡便なシステムでセキュリティーの高いロック管理システムを提供することを目的とする。
【課題を解決するための手段】
【０００７】
本発明に係るロック管理システムは、管理対象装置を有する管理対象体と、前記管理対象体の利用を管理するための管理サーバとを備え、前記管理対象体と前記管理サーバと端末とは相互に通信可能であるロック管理システムであって、前記端末は、前記管理サーバと無線通信する端末通信部と、前記管理対象体とBluetooth（登録商標）通信を行う端末ＢＴ通信部と、を有し、前記管理サーバは、前記管理対象装置、前記端末通信部と無線通信するサーバ通信部と、前記端末を識別する端末識別符号と前記管理対象体の種類と前記管理対象体を利用するための予約時間と前記管理対象体を利用するための第１利用識別符号とを含む予約管理情報が記録される予約情報テーブルを有するデータベース部と、を有し、前記管理対象装置は、前記管理サーバと無線通信する管理対象通信部と、前記端末とBluetooth（登録商標）通信を行う管理対象ＢＴ通信部と、前記端末に関する照合をする管理対象制御部と、前記管理サーバから送信される前記予約管理情報が記憶される管理対象記憶部と、を有し、前記端末は、前記端末識別符号と前記管理対象体の種類と前記予約時間と前記管理対象体を利用するための第１利用識別符号とを前記管理サーバに送信し、前記管理サーバは、前記予約管理情報に基づいて前記第１利用識別符号を生成し、前記端末識別符号に基づく通知手段により前記第１利用識別符号を前記端末に送信し、前記第１利用識別符号を前記管理対象装置に送信し、前記端末は、Bluetooth（登録商標）通信における前記端末と前記管理対象装置とのコネクションが確立した後に、前記第１利用識別符号に基づく前記管理対象体を利用するための第２利用識別符号を前記管理対象装置に送信し、前記管理対象制御部は、受信した前記第２利用識別符号と、前記管理対象記憶部に記憶されている前記第１利用識別符号とを照合し、照合結果が一致の場合にロックの解錠の指示をすることを特徴とする。
【０００８】
前記ロック管理システムにおいて、前記管理サーバが前記第１利用識別符号を前記端末に送信する前記通知手段が、ＳＭＳ（short message service）であることを特徴とする。
【０００９】
前記ロック管理システムにおいて、前記管理対象制御部は、解錠の指示をした後に、前記管理対象記憶部に記憶されている前記第１利用識別符号を消去することを特徴とする。
【００１０】
前記ロック管理システムにおいて、前記端末識別符号と前記管理対象体の種類と前記予約時間は、前記端末又は他の端末から登録されることを特徴とする。
【００１１】
前記ロック管理システムにおいて、前記管理対象体が住宅である場合には、前記ロックは前記住宅のドアロックであり、前記管理対象体が駐車場である場合には、前記ロックは前記駐車場のロック板であり、前記管理対象体が車両である場合には、前記ロックは前記車両のドアロックであることを特徴とする。
【発明の効果】
【００１２】
本発明のロック管理システムでは、簡便な構成でセキュリティーの高いシステムを構築することができる。
【００１３】
また、ロック管理システムでは、管理サーバが第１利用識別符号をＳＭＳで送信することにより、利用者Ａを特定した送信を担保でき、なりすましを防ぐことができる。
【００１４】
さらに、ロック管理システムでは、管理対象制御部は、解錠の指示をした後に、管理対象記憶部に記憶されている第１利用識別符号を消去することにより、利用者以外の者が不正に利用識別符号を取得した場合に管理対象体の不正理由を防ぐことができる。
【図面の簡単な説明】
【００１５】
【図１】本発明の実施形態に係るロック管理システムの説明図である。
【図２】図２Ａは、管理対象装置であり、図２Ｂは管理対象テーブルの説明図である。
【図３】端末の説明図である。
【図４】管理サーバの説明図である。
【図５】図５Ａは予約管理情報テーブルの説明図であり、図５Ｂは空室情報テーブルの説明図である。
【図６】本発明の実施形態に係るロック管理システムの処理手順の説明図である。
【図７】管理対象体が駐車場の場合のロック管理システムの説明図である。
【図８】管理対象体が車両の場合のロック管理システムの説明図である。
【発明を実施するための形態】
【００１６】
以下、本発明の実施形態について図面を参照して説明する。図１は、本発明の実施形態に係るロック管理システム１０の説明図であり、図２Ａは、管理対象装置１００の説明図であり、図２Ｂは、管理対象テーブル１１０の説明図であり、図３は、端末２００の説明図であり、図４は管理サーバ３００の説明図であり、図５Ａは、予約管理情報テーブル３０８の説明図であり、図５Ｂは、空室情報テーブル３１０の説明図である。
【００１７】
＜ロック管理システムの構成の説明＞
ロック管理システム１０は、管理対象装置１００、端末２００及び管理サーバ３００を備える。管理対象装置１００と管理サーバ３００、端末２００と管理サーバ３００とはインターネット等で構成される公衆回線３０を介して通信可能である。また、管理対象装置１００は、管理対象体２０に設けられている。
【００１８】
図１において、管理対象体２０は住宅であり、管理対象体２０のドアにドアロック２２が設けられている。
【００１９】
管理対象装置１００は、管理対象制御部１０２、管理対象通信部１０４、管理対象ＢＴ通信部１０６及び管理対象記憶部１０８を備え、これらがバス１１２を介して相互に接続される。
【００２０】
管理対象制御部１０２は、ＣＰＵ、ＲＯＭ、ＲＡＭを備え、管理対象装置１００の全体の制御を行う制御部である。管理対象通信部１０４は、管理サーバ３００との間をＷｉ−Ｆｉで無線通信する通信部である。管理対象ＢＴ通信部１０６は、ＩＥＥＥ８０２．１５で規格される無線通信方式であるBluetooth（登録商標）通信を行う通信部である。
【００２１】
管理対象記憶部１０８は、後述する予約管理情報テーブル３０８に記憶されている予約情報に基づく情報が記憶される管理対象テーブル１１０を備える。ここで、管理対象テーブル１１０は、管理サーバ３００から送信される第１利用識別符号Ｐ１と予約時間とが記憶される。第１利用識別符号Ｐ１と予約時間は、後述する予約管理情報テーブル３０８に記憶される第１利用識別符号Ｐ１と予約時間と同様である。図２Ｂでは、第１利用識別符号Ｐ１、予約時間として、この順番にＰａ、20XX/XX/XX YY:YY〜ZZ:ZZが管理対象テーブル１１０に記憶されている。
【００２２】
端末２００は、端末制御部２０２、端末通信部２０４、端末ＢＴ通信部２０６、端末記憶部２０８、ＵＳＩＭ（Universal Subscriber Identity Module）２１０、入力部２１２及び表示部２１４を備え、これらがバス２１６を介して相互に接続される。また、端末２００は、通信機能を備える端末である。例えば、携帯電話、スマートフォン、通信機能を備えるコンピュータから構成される。
【００２３】
端末制御部２０２は、ＣＰＵ、ＲＯＭ、ＲＡＭを備え、端末２００の全体の制御を行う制御部である。端末通信部２０４は、管理サーバ３００との間をＷｉ−Ｆｉで無線通信する通信部である。端末ＢＴ通信部２０６は、Bluetooth（登録商標）通信を行う通信部である。端末記憶部２０８は、管理サーバ３００から送信される第１利用識別符号Ｐ１が記憶されるメモリである。
【００２４】
ＵＳＩＭ２１０は、端末２００の利用者を特定するユニークな利用者情報である電話番号（端末識別符号）が記憶されたメモリモジュールである。入力部２１２は、キーボードやタッチパネル等から構成される。表示部２１４は、種々の情報を表示する手段である。
【００２５】
管理サーバ３００は、サーバ制御部３０２、サーバ通信部３０４及びデータベース部３０６を備え、これらがバス３１２を介して相互に接続される。
【００２６】
サーバ制御部３０２は、ＣＰＵ、ＲＯＭ、ＲＡＭを備え、管理サーバ３００の全体の制御を行う制御部である。サーバ通信部３０４は、管理対象装置１００、端末２００との間をＷｉ−Ｆｉで無線通信する通信部である。
【００２７】
データベース部３０６は、管理対象体２０の予約管理をするための情報が記憶される予約管理情報テーブル３０８及び管理対象体２０の空室情報が記憶される空室情報テーブル３１０を備える。
【００２８】
予約管理情報テーブル３０８には、予約管理情報として、電話番号、管理対象体２０の種類、管理対象体２０の予約時間及び管理対象体２０を利用するための第１利用識別符号が記憶される。図５Ａでは、電話番号、管理対象体２０の種類、管理対象体２０の予約時間、第１利用識別符号として、この順番にＮａ、Ｍａ、20XX/XX/XX YY:YY〜ZZ:ZZ、Ｐａが予約管理情報テーブル３０８に記憶されている。ここで、管理対象体２０の種類とは、管理対象体２０を特定する表示であれば、特に限定されるものではなく、例えば、管理対象体２０の住所、マンション等の集合住宅の場合には、マンション名及び部屋番号が管理対象体２０の種類として記憶される。
【００２９】
空室情報テーブル３１０には、管理対象体２０の種類、管理対象体２０の利用可能時間が記憶される。図５Ｂでは、管理対象体２０の種類、利用可能時間として、この順番にＭａ、20XX/XX/XX AA:AA〜BB:BBが、Ｍｂ、管理対象体２０の利用ができないことを意味する「×」が、空室情報テーブル３１０に記憶されている。
【００３０】
＜ロック管理システムの動作の説明＞
次に、ロック管理システム１０の動作について、図６を用いて説明する。図６は、本発明の実施形態に係るロック管理システム１０の処理手順の説明図である。以下、利用者Ａがロック管理システム１０を利用する場合として説明する。
【００３１】
利用者Ａは、端末２００によって管理サーバ３００に無線接続し、管理対象体２０の予約を開始する（ステップＳ１）。サーバ制御部３０２は、電話番号、利用する管理対象体２０及び予約時間の送信を求める旨をサーバ通信部３０４により端末２００に送信する（ステップＳ２）。ここで、サーバ通信部３０４が端末２００へ電話番号、利用する管理対象体２０及び予約時間の送信を求める旨を送信する通知手段は、ＳＭＳ（short message service）である。
【００３２】
前記旨が端末通信部２０４で受信され表示部２１４に表示され、表示部２１４の表示内容が利用者Ａによって確認される。利用者Ａは、入力部２１２から電話番号、利用する管理対象体２０及び予約時間を入力する。具体的には、利用者Ａが電話番号としてＮａ、利用する管理対象体２０としてＭａ、予約時間として20XX/XX/XX YY:YY〜ZZ:ZZを入力部２１２から入力したとする。端末制御部２０２は、入力された電話番号、利用する管理対象体２０及び予約時間を端末通信部２０４により管理サーバ３００に送信する（ステップＳ３）。
【００３３】
サーバ制御部３０２は、サーバ通信部３０４で受信した利用する管理対象体２０及び予約時間と、空室情報テーブル３１０に記憶されている空室情報と照合し、管理対象体２０の可否を確認する（ステップＳ４）。
【００３４】
サーバ制御部３０２は、管理対象体２０の種類がＭａ、予約時間が20XX/XX/XX AA:AA〜BB:BBの範囲内である場合（ステップＳ４  ＹＥＳ）には、予約可能と判断し、第１利用識別符号Ｐ１としてＰａを生成し、さらに、予約管理情報として、電話番号、利用する管理対象体２０、予約時間及び第１利用識別符号Ｐ１を予約管理情報テーブル３０８に登録する（ステップＳ５）。電話番号として、Ｎａが登録され、管理対象体２０としてＭａが登録され、予約時間として、20XX/XX/XX YY:YY〜ZZ:ZZ、第１利用識別符号Ｐ１としてＰａが予約管理情報テーブル３０８に登録される。
【００３５】
なお、管理対象体２０の種類が空室情報テーブル３１０に登録されていなかった場合や管理対象体２０の種類がＭａであっても、予約時間が20XX/XX/XX AA:AA〜BB:BBの範囲外であった場合（ステップＳ４  ＮＯ）には、サーバ制御部３０２は、端末２００に電話番号、利用する管理対象体２０及び予約時間の再送信を求める。
【００３６】
サーバ制御部３０２は、予約管理情報テーブル３０８に登録された利用する管理対象体２０、予約時間及び第１利用識別符号Ｐ１を含む予約管理情報をサーバ通信部３０４により端末２００に送信する（ステップＳ６）。また、サーバ制御部３０２は、予約管理情報テーブル３０８の予約管理情報を所定時間毎にサーバ通信部３０４により管理対象装置１００に送信する（ステップＳ７）。
【００３７】
管理対象制御部１０２は、管理対象通信部１０４で受信した予約管理情報を管理対象記憶部１０８に記憶する（ステップＳ８）。この管理対象テーブル１１０の予約管理情報は、所定時間毎に更新される。従って、管理対象装置１００と管理サーバ３００との間で通信障害が発生した場合であっても、管理対象装置１００は、前記所定時間前に記憶されていた予約管理情報に基づいて、業務を継続することができる。
【００３８】
端末制御部２０２は、端末通信部２０４で受信した予約管理情報を端末記憶部２０８に記憶する（ステップＳ９）。
【００３９】
利用者Ａは、予約した利用開始日時前に予約した管理対象体２０に向かう。
【００４０】
管理対象制御部１０２は、管理対象テーブル１１０に記憶されている予約時間よりも所定時間、例えば５分〜３０分前から管理対象ＢＴ通信部１０６よりピコネットを形成するためのパケットを周辺に送信する（ステップＳ１０）。このピコネットは、管理対象ＢＴ通信部１０６と端末ＢＴ通信部２０６とがBluetooth（登録商標）通信するためのネットワークである。
【００４１】
端末２００は、前記パケットを受信すると応答パケットを端末ＢＴ通信部２０６により管理対象装置１００に送信し、その後、管理対象ＢＴ通信部１０６と端末ＢＴ通信部２０６間で通信をして、コネクションが確立される（ステップＳ１１）。
【００４２】
管理対象制御部１０２は、利用識別符号の送信を要求する旨を管理対象ＢＴ通信部１０６により端末２００に送信する（ステップＳ１２）。
【００４３】
前記旨が端末ＢＴ通信部２０６で受信され表示部２１４に表示され、表示部２１４の表示内容が利用者Ａによって確認される。利用者Ａは、利用識別符号として、端末記憶部２０８に第１利用識別符号Ｐ１として記憶されているＰａを入力部２１２から入力する。端末制御部２０２は、入力された第２利用識別符号Ｐ２を端末ＢＴ通信部２０６により管理対象装置１００に送信する（ステップＳ１３）。
【００４４】
管理対象制御部１０２は、利用識別番号の照合、すなわち、管理対象ＢＴ通信部１０６で受信した第２利用識別符号Ｐ２と管理対象テーブル１１０に記憶されている第１利用識別符号Ｐ１とを照合する。また、管理対象制御部１０２は、受信した第２利用識別符号Ｐ２の受信時刻と管理対象テーブル１１０に記憶されている予約管理情報の中の予約時間とを照合する（ステップＳ１４）。
【００４５】
管理対象制御部１０２は、受信した第２利用識別符号Ｐ２がＰａであるならば、第１利用識別符号Ｐ１と第２利用識別符号Ｐ２との照合が一致したと判断する。また、管理対象制御部１０２は、第２利用識別符号Ｐ２の受信時刻が予約時間の範囲時間内又は予約開始時間から所定時間前の範囲内であると判断した場合には、予約管理情報について照合が一致したと判断する。
【００４６】
管理対象制御部１０２は、利用識別番号、予約時間の照合が一致した場合（ステップＳ１４  ＹＥＳ）には、管理対象体２０のドアロック２２に対して、解錠の指示をする（ステップＳ１５）。この解錠の指示により、管理対象体２０のドアを開けることが可能となり、利用者Ａは予約した管理対象体２０の利用が可能となる。
【００４７】
また、管理対象制御部１０２がドアロック２２に対して解錠の指示をした後に、管理対象テーブル１１０から第１利用識別符号Ｐ１を消去する（ステップＳ１６）。
【００４８】
なお、ステップＳ１４において、利用識別番号又は予約時間の照合が一致しなかった場合には、管理対象制御部１０２は、管理対象ＢＴ通信部１０６により再入力を求める旨を端末２００に送信する（ステップＳ１４  ＮＯ）。
【００４９】
また、管理対象体２０は、住宅であったが、予約による管理されるものであれば、これに限定されるものではない。図７は、管理対象体２０が駐車場４０の場合のロック管理システム１０Ａの説明図であり、図８は、管理対象体２０が車両５０の場合のロック管理システム１０Ｂの説明図である。
【００５０】
図７において、ロック管理システム１０Ａは、管理対象装置１００Ａ、端末２００及び管理サーバ３００を備える。ロック管理システム１０Ａの基本構成、基本動作は、ロック管理システム１０と同様であり、ロック管理システム１０における管理対象装置１００が、駐車場４０に管理対象装置１００Ａとして設けられている。また、ロック管理システム１０におけるドアロック２２はロック板４２に対応する。ロック板４２は、駐車場４０において、駐車される車両を管理するための手段である。
【００５１】
図８において、ロック管理システム１０Ｂは、管理対象装置１００Ｂ、端末２００及び管理サーバ３００を備える。ロック管理システム１０Ｂの基本構成、基本動作は、ロック管理システム１０と同様であり、ロック管理システム１０における管理対象装置１００が、車両５０に管理対象装置１００Ｂとして設けられている。また、ロック管理システム１０におけるドアロック２２はドアロック５２に対応する。
【００５２】
ロック管理システム１０は、管理対象装置１００を有する管理対象体２０と、前記管理対象体２０の利用を管理するための管理サーバ３００とを備え、前記管理対象体２０と前記管理サーバ３００と端末２００とは相互に通信可能であるロック管理システムであって、前記端末２００は、前記管理サーバ３００と無線通信する端末通信部２０４と、前記管理対象体２０とBluetooth（登録商標）通信を行う端末ＢＴ通信部２０６と、を有し、前記管理サーバ３００は、前記管理対象装置１００、前記端末通信部２０４と無線通信するサーバ通信部３０４と、前記管理対象体２０を利用するための予約時間と、前記端末２００を識別する端末識別符号と、前記管理対象体２０を利用するための第１利用識別符号Ｐ１と、を含む予約管理情報が記録される予約管理情報テーブル３０８を有するデータベース部３０６と、を有し、前記管理対象装置１００は、前記管理サーバ３００と無線通信する管理対象通信部１０４と、前記端末２００とBluetooth（登録商標）通信を行う管理対象ＢＴ通信部１０６と、前記端末２００に関する照合をする管理対象制御部１０２と、前記管理サーバ３００から送信される前記予約管理情報が記憶される管理対象記憶部１０８と、を有し、前記端末２００は、前記端末識別符号と前記管理対象体２０の種類と前記予約時間とを前記管理サーバ３００に送信し、前記管理サーバ３００は、前記予約管理情報に基づいて前記第１利用識別符号Ｐ１を生成し、前記端末識別符号に基づく通知手段により前記第１利用識別符号Ｐ１を前記端末２００に送信し、前記第１利用識別符号Ｐ１を前記管理対象装置１００に送信し、前記端末２００は、Bluetooth（登録商標）通信における前記端末２００と前記管理対象装置１００とのコネクションが確立した後に、前記第１利用識別符号Ｐ１に基づく前記管理対象体２０を利用するための第２利用識別符号Ｐ２を前記管理対象装置１００に送信し、前記管理対象制御部１０２は、受信した前記第２利用識別符号Ｐ２と、前記管理対象記憶部１０８に記憶されている前記第１利用識別符号Ｐ１とを照合し、照合結果が一致の場合にロックの解錠の指示をする。
【００５３】
ロック管理システム１０では、簡便な構成でセキュリティーの高いシステムを構築することができる。
【００５４】
また、ロック管理システム１０において、前記管理サーバ３００が前記第１利用識別符号Ｐ１を前記端末２００に送信する前記通知手段が、ＳＭＳである。管理サーバ３００が第１利用識別符号Ｐ１をＳＭＳで送信することにより、利用者Ａを特定した送信を担保でき、なりすましを防ぐことができる。
【００５５】
さらに、ロック管理システム１０において、前記管理対象制御部１０２は、解錠の指示をした後に、前記管理対象記憶部１０８に記憶されている前記第１利用識別符号Ｐ１を消去する。
【００５６】
管理対象制御部１０２は、解錠の指示をした後に、管理対象記憶部１０８に記憶されている第１利用識別符号Ｐ１を消去することにより、利用者Ａ以外の者が不正に利用識別符号を取得した場合に管理対象体２０の理由を防ぐことができる。
【００５７】
また、ロック管理システム１０において、  前記端末識別符号と前記管理対象体２０の種類と前記予約時間は、前記端末２００又は他の端末から登録される。
【００５８】
さらに、ロック管理システム１０、１０Ａ、１０Ｂにおいて、管理対象体２０が住宅である場合には、ロックはドアロック２２であり、管理対象体２０が駐車場４０である場合には、前記ロックは駐車場４０のロック板４２であり、管理対象体２０が車両５０である場合には、前記ロックは車両５０のドアロック５２である。
【００５９】
なお、本発明は、上述の実施形態に限らず、本発明の要旨を逸脱することなく、種々の構成を採り得ることはもちろんである。
【００６０】
例えば、上述の実施形態では、ステップＳ３においては、端末制御部２０２は管理対象体２０の予約時間を管理サーバ３００に送信しているが、予約時間情報として予約時間を登録できれば、これに限定されるものではない。例えば、サーバ制御部３０２が、空室情報テーブル３１０を管理対象体２０に送信して、表示部２１４に表示させ、利用者Ａが管理対象体２０の予約可能な時間を指定して、指定情報を予約情報として端末通信部２０４により管理サーバ３００に送信するようにしても良い。
【００６１】
ステップＳ３においては、端末制御部２０２は、利用者Ａが入力部２１２から入力した電話番号を管理サーバ３００に送信しているが、予約管理情報として電話番号を登録できれば、これに限定されるものではない。例えば、電話番号を入力部２１２から入力せずに、端末制御部２０２がＵＳＩＭ２１０に記憶されている電話番号を取得し、端末通信部２０４により管理サーバ３００に送信してもよい。
【００６２】
また、ステップＳ１６においては、管理対象制御部１０２がドアロック２２に対して解錠の指示をした後に、管理対象テーブル１１０から第１利用識別符号Ｐ１を消去しているが、第１利用識別符号Ｐ１を消去できればタイミングはこれに限定されない。例えば、管理対象制御部１０２が、管理対象テーブル１１０に記憶されている予約時間を参照して、予約時間の経過直後、予約時間の経過後から所定時間経過後に第１利用識別符号Ｐ１を消去してもよい。
【００６３】
さらに、上述の実施形態では、ロック管理システムにより管理対象体２０の利用予約をしているが、端末２００とは異なる端末で利用の予約をしてもよい。
【符号の説明】
【００６４】
１０、１０Ａ、１０Ｂ…ロック管理システム
２０…管理対象体
２２、５２…ドアロック
３０…公衆回線
４０…駐車場
４２…ロック板
５０…車両
１００…管理対象装置
１０２…管理対象制御部
１０４…管理対象通信部
１０６…管理対象ＢＴ通信部
１０８…管理対象記憶部
１１０…管理対象テーブル
１１２、２１６、３１２…バス
２００…端末
２０２…端末制御部
２０４…端末通信部
２０６…端末ＢＴ通信部
２０８…端末記憶部
２１０…ＵＳＩＭ
２１２…入力部
２１４…表示部
３００…管理サーバ
３０２…サーバ制御部
３０４…サーバ通信部
３０６…データベース部
３０８…予約管理情報テーブル
３１０…空室情報テーブル
Ｐ１…第１利用識別符号
Ｐ２…第２利用識別符号
【図１】
2018116436.tif 000003
【図２】
2018116436.tif 000004
【図３】
2018116436.tif 000005
【図４】
2018116436.tif 000006
【図５】
2018116436.tif 000007
【図６】
2018116436.tif 000008
【図７】
2018116436.tif 000009
【図８】
2018116436.tif 000010
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
管理対象装置を有する管理対象体の利用を管理するための管理サーバを備え、前記管理対象体と前記管理サーバと端末とは相互に通信可能であるロック管理システムであって、
前記端末は、
前記管理サーバと無線通信する端末通信部と、
前記管理対象体とBluetooth（登録商標）通信を行う端末ＢＴ通信部と、
を有し、
前記管理サーバは、
前記管理対象装置、前記端末通信部と無線通信するサーバ通信部と、
前記端末を識別する端末識別符号と前記管理対象体の種類と前記管理対象体を利用するための予約時間と前記管理対象体を利用するための第１利用識別符号とを含む予約管理情報が記録される予約情報テーブルを有するデータベース部と、
を有し、
前記管理対象装置は、
前記管理サーバと無線通信する管理対象通信部と、
前記端末とBluetooth（登録商標）通信を行う管理対象ＢＴ通信部と、
前記端末に関する照合をする管理対象制御部と、
前記管理サーバから送信される前記予約管理情報が記憶される管理対象記憶部と、
を有し、
前記端末は、前記端末識別符号と前記管理対象体の種類と前記予約時間と前記管理対象体を利用するための第１利用識別符号とを前記管理サーバに送信し、
前記管理サーバは、
前記予約管理情報に基づいて前記第１利用識別符号を生成し、前記端末識別符号に基づく通知手段により前記第１利用識別符号を前記端末に送信し、
前記第１利用識別符号を前記管理対象装置に送信し、
前記端末は、Bluetooth（登録商標）通信における前記端末と前記管理対象装置とのコネクションが確立した後に、前記第１利用識別符号に基づく前記管理対象体を利用するための第２利用識別符号を前記管理対象装置に送信し、
前記管理対象制御部は、受信した前記第２利用識別符号と、前記管理対象記憶部に記憶されている前記第１利用識別符号とを照合し、照合結果が一致の場合にロックの解錠の指示をすることを特徴とするロック管理システム。
【請求項２】
請求項１記載のロック管理システムであって、
前記管理サーバが前記第１利用識別符号を前記端末に送信する前記通知手段が、ＳＭＳ（short message service）であることを特徴とするロック管理システム。
【請求項３】
請求項１又は２記載のロック管理システムであって、
前記管理対象制御部は、解錠の指示をした後に、前記管理対象記憶部に記憶されている前記第１利用識別符号を消去することを特徴とするロック管理システム。
【請求項４】
請求項１〜３のいずれか１項に記載のロック管理システムであって、
前記端末識別符号と前記管理対象体の種類と前記予約時間は、前記端末又は他の端末から登録されることを特徴とするロック管理システム。
【請求項５】
請求項１〜４のいずれか１項に記載のロック管理システムであって、
前記管理対象体が住宅である場合には、前記ロックは前記住宅のドアロックであり、
前記管理対象体が駐車場である場合には、前記ロックは前記駐車場のロック板であり、
前記管理対象体が車両である場合には、前記ロックは前記車両のドアロックであることを特徴とするロック管理システム。
【手続補正２】
【補正対象書類名】明細書
【補正対象項目名】０００７
【補正方法】変更
【補正の内容】
【０００７】
本発明に係るロック管理システムは、管理対象装置を有する管理対象体の利用を管理するための管理サーバを備え、前記管理対象体と前記管理サーバと端末とは相互に通信可能であるロック管理システムであって、前記端末は、前記管理サーバと無線通信する端末通信部と、前記管理対象体とBluetooth（登録商標）通信を行う端末ＢＴ通信部と、を有し、前記管理サーバは、前記管理対象装置、前記端末通信部と無線通信するサーバ通信部と、前記端末を識別する端末識別符号と前記管理対象体の種類と前記管理対象体を利用するための予約時間と前記管理対象体を利用するための第１利用識別符号とを含む予約管理情報が記録される予約情報テーブルを有するデータベース部と、を有し、前記管理対象装置は、前記管理サーバと無線通信する管理対象通信部と、前記端末とBluetooth（登録商標）通信を行う管理対象ＢＴ通信部と、前記端末に関する照合をする管理対象制御部と、前記管理サーバから送信される前記予約管理情報が記憶される管理対象記憶部と、を有し、前記端末は、前記端末識別符号と前記管理対象体の種類と前記予約時間と前記管理対象体を利用するための第１利用識別符号とを前記管理サーバに送信し、前記管理サーバは、前記予約管理情報に基づいて前記第１利用識別符号を生成し、前記端末識別符号に基づく通知手段により前記第１利用識別符号を前記端末に送信し、前記第１利用識別符号を前記管理対象装置に送信し、前記端末は、Bluetooth（登録商標）通信における前記端末と前記管理対象装置とのコネクションが確立した後に、前記第１利用識別符号に基づく前記管理対象体を利用するための第２利用識別符号を前記管理対象装置に送信し、前記管理対象制御部は、受信した前記第２利用識別符号と、前記管理対象記憶部に記憶されている前記第１利用識別符号とを照合し、照合結果が一致の場合にロックの解錠の指示をすることを特徴とするロック管理システム。